(57)【要約】【課題】医薬品または化学品の製品の製造に関する情報を提供して、その設計等の計画を支援できる情報提供装置、及びプログラムを提供する。【解決手段】医薬品または化学品の製品の製造に関する情報を提供する情報提供装置であって、対象となる製品の生産規模、生産期間、生産量に関する情報、並びに、製造設備に関する情報を含む複数のパラメータごとに、値の幅に関する設定を行い、該複数のパラメータの値のそれぞれについて複数の仮想値を設定して複数回のサンプリングを行う。そして予め定めた評価演算方法により各サンプルの経済性、環境影響、品質、供給安定性の少なくとも一つの評価指標についての複数のサンプル評価値を取得し、当該取得した、評価指標ごとの複数のサンプル評価値に基づいて、各評価指標に対するパラメータの寄与度を推定する。【選択図】図１
2020035315.tif 000002
【特許請求の範囲】
【請求項１】
医薬品または化学品の製品の製造に関する情報を提供する情報提供装置であって、
対象となる製品の生産規模、生産期間、生産量に関する情報、並びに、製造設備に関する情報を含む複数のパラメータごとに、値の幅に関する設定を行う手段と、
前記複数のパラメータの値のそれぞれについて複数の仮想値を設定することで複数回のサンプリングを行い、予め定めた評価演算方法により各サンプルの経済性、環境影響、品質、供給安定性の少なくとも一つの評価指標についての複数のサンプル評価値を取得する手段と、
前記取得した、評価指標ごとの複数のサンプル評価値に基づいて、各評価指標に対する前記パラメータの寄与度を推定する推定手段と、
前記推定の結果を出力する手段と、
を含む情報提供装置。
【請求項２】
請求項１に記載の情報提供装置であって、
前記複数のパラメータには、製造設備に関する情報として、製造工程で用いる製造装置が再利用可能な装置であるか否かを表す情報を含む情報提供装置。
【請求項３】
請求項１に記載の情報提供装置であって、
前記複数のパラメータには、製造設備に関する情報として、製造工程で用いる製造装置が再利用可能な装置であるか否か、または再利用可能な装置と一回利用の装置とのいずれでもよい旨を表す情報を含む情報提供装置。
【請求項４】
請求項１から３のいずれか一項に記載の情報提供装置であって、
指定された評価指標についての前記寄与度に基づいて、寄与度が上位所定順位にあるパラメータを互いに異ならせた複数の評価指標を演算し、当該演算の結果を提示する手段をさらに含む情報提供装置。
【請求項５】
コンピュータにより実行されると、コンピュータを医薬品または化学品の製品の製造に関する情報を提供する装置として機能させる情報提供プログラムであって、
対象となる製品の生産規模、生産期間、生産量に関する情報、並びに、製造設備に関する情報を含む複数のパラメータごとに、値の幅に関する設定を行う手段と、
前記複数のパラメータの値のそれぞれについて複数の仮想値を設定することで複数回のサンプリングを行い、予め定めた評価演算方法により各サンプルの経済性、環境影響、品質、供給安定性の少なくとも一つの評価指標についての複数のサンプル評価値を取得する手段と、
前記取得した、評価指標ごとの複数のサンプル評価値に基づいて、各評価指標に対する前記パラメータの寄与度を推定する推定手段と、
前記推定の結果を出力する手段と、
として、コンピュータを機能させるプログラム。
【発明の詳細な説明】
【技術分野】
【０００１】
本発明は、情報提供装置及びプログラムに関する。
【背景技術】
【０００２】
医薬品、例えば抗体医薬品の製造過程においては、種々の製造装置が用いられている。また、一つの製造過程に着目しても、その製造過程で利用される装置・器具類は多岐に亘っている。具体的に、抗体医薬品をパッケージに無菌充填する過程においても、医薬品を保持し、フィルタに移送し、フィルタを通じて充填工程に至るまでに多数の装置・器具が利用されている。
【０００３】
そこで、こうした抗体医薬品等の製造装置の設計では、各装置・器具を、一回利用（一つの種類の抗体医薬品を製造したのち、異なる医薬品を製造する際には廃棄する）製品とするか、洗浄して再利用できる再利用可能製品とするかの選択など、種々の事情を考慮する必要がある。
【０００４】
非特許文献１には、装置・器具を再利用可能品（ＭＵＴ：Multi-use technology）とするか、一回利用品（ＳＵＴ：Single-use technology）とするかによる費用等の試算を行った例が開示されている。
【先行技術文献】
【非特許文献】
【０００５】
【非特許文献１】Sandstrom, C., Disposable vs. traditional equipment - a facility-wide view., Chem. Eng. Prog., July 2009, 105, 30-35
【発明の概要】
【発明が解決しようとする課題】
【０００６】
上述のように、医薬品や化学品等の製造装置の設計等においては、製造に用いる装置や器具のそれぞれを再利用可能品（ＭＵＴ：Multi-use technology）とするか、一回利用品（ＳＵＴ：Single-use technology）とするか、それらを混在させたもの（ＨＹＢ：Hybrid technology）とするか、また、製造規模や製造期間等をどのように定めるか等の多数のパラメータを考慮する必要があって、設計において主要な指標がどれであるかを知ることが困難であった。
【０００７】
本発明は上記実情に鑑みて為されたもので、医薬品または化学品の製品の製造に関する情報を提供して、その設計等の計画を支援できる情報提供装置、及びプログラムを提供することを、その目的の一つとする。
【課題を解決するための手段】
【０００８】
上記従来例の問題点を解決するための本発明の一態様は、医薬品または化学品の製品の製造に関する情報を提供する情報提供装置であって、対象となる製品の生産規模、生産期間、生産量に関する情報、並びに、製造設備に関する情報を含む複数のパラメータごとに、値の幅に関する設定を行う手段と、前記複数のパラメータの値のそれぞれについて複数の仮想値を設定することで複数回のサンプリングを行い、予め定めた評価演算方法により各サンプルの経済性、環境影響、品質、供給安定性の少なくとも一つの評価指標についての複数のサンプル評価値を取得する手段と、前記取得した、評価指標ごとの複数のサンプル評価値に基づいて、各評価指標に対する前記パラメータの寄与度を推定する推定手段と、前記推定の結果を出力する手段と、を含むこととしたものである。
【発明の効果】
【０００９】
本発明によると、医薬品または化学品の製品の製造に関する情報を提供して、その設計等の計画を支援できる。
【図面の簡単な説明】
【００１０】
【図１】本発明の実施の形態に係る情報提供装置の構成例を表すブロック図である。
【図２】本発明の実施の形態に係る情報提供装置の例を表す機能ブロック図である。
【図３】本発明の実施の形態に係る情報提供装置が保持する設定の例を表す説明図である。
【図４】本発明の実施の形態に係る情報提供装置が出力する情報の例を表す説明図である。
【図５】本発明の実施の形態に係る情報提供装置の動作例を表すフローチャート図である。
【発明を実施するための形態】
【００１１】
本発明の実施の形態について図面を参照しながら説明する。本発明の実施の形態に係る情報提供装置１は、図１に例示するように、制御部１１と、記憶部１２と、操作部１３と、表示部１４とを含むコンピュータシステムにより実現される。
【００１２】
本実施の形態において、制御部１１は、ＣＰＵなどのプログラム制御デバイスであり、記憶部１２に格納されたプログラムに従って動作する。本実施の形態の制御部１１は、対象となる製品の生産規模、生産期間、生産量に関する情報、並びに、製造設備に関する情報を含む複数のパラメータごとに、値の幅に関する設定を行い、これら複数のパラメータの値のそれぞれについて複数の仮想値を設定することで複数回のサンプリングを行い、予め定めた評価演算方法により各サンプルの経済性、環境影響、品質、供給安定性の少なくとも一つの評価指標についての複数のサンプル評価値を取得する。そして制御部１１は、ここで取得した、評価指標ごとの複数のサンプル評価値に基づいて、各評価指標に対するパラメータの寄与度を推定して、その推定の結果を出力する。この制御部１１の動作については、後に詳しく述べる。
【００１３】
記憶部１２は、メモリデバイスやディスクデバイス等であり、制御部１１によって実行されるプログラムを保持する。本実施の形態においてこのプログラムは、コンピュータ可読かつ非一時的な記録媒体に格納されて提供され、この記憶部１２に複写されたものであってもよい。この記憶部１２はまた、制御部１１のワークメモリとしても動作する。さらに本実施の形態の一例では、この記憶部１２は、制御部１１の処理において用いられる各種の設定情報を記憶している。
【００１４】
操作部１３は、キーボード等であり、ユーザからのキー入力等、情報の入力を受けて、当該入力された情報を制御部１１に出力する。表示部１４は、ディスプレイ等であり、制御部１１から入力される指示に従って情報を提示する。
【００１５】
本実施の形態に係る制御部１１の動作の一例について説明する。本実施の形態のある例によると、この制御部１１は、図２に例示するように、設定部２１と、サンプル生成部２２と、評価部２３と、推定処理部２４と、出力処理部２５とを機能的に含んで構成される。
【００１６】
設定部２１は、製造の対象となる製品の生産規模、生産期間、生産量に関する情報、並びに、製造設備に関する情報を含む複数のパラメータごとに、値の幅に関する設定を行う。
【００１７】
具体的にこの設定部２１は、対象となる製品の生産規模として、所定の期間（例えば１年あたり、あるいはひと月あたり）にどの程度の数量（個数、あるいは容積等で表す）の製品を製造する予定であるかを表す情報の入力を受け入れる。
【００１８】
またこの設定部２１は、生産期間の情報としてどの程度の期間に亘って製造を行う予定であるか、また生産量に関する情報として全体でどの程度の数量を製造する予定であるかを表す情報の入力を受け入れる。そして設定部２１は、ここで受け入れた情報を記憶部１２に格納して保持する。
【００１９】
なお、ここで期間・数量等の情報は、例えば予定される最小値（最小の数量）と最大値（最大の数量）の値というように、その幅を表す情報として入力を受け入れる。例えば生産規模の情報であれば、設定部２１は、１年あたりの生産量を、１年あたりｘminリットルからｘmaxリットル（ｘmin＜ｘmax）、というように、ｘmin，ｘmaxの値（それぞれ正の整数とする）を受け入れる。
【００２０】
またこの幅を表す情報は、最小値と最大値とだけでなく、標準的な値（ｘstandard）を含んでもよい。この場合、設定部２１は、例えば製品としての薬品を小分けして充填する際に用いる小瓶（vial）のサイズが、最小値５ミリリットル、最大値２００ミリリットル、標準値１５リットル、というように入力を受けてもよい。なお、標準的な値がない（全体的に平均的に分布する）場合は、この標準的な値の入力が省かれてもよい。
【００２１】
さらに設定部２１は、製造設備に関する情報として製造工程で用いられる製造装置（装置の一部や部品である器具を含む）の一覧の入力を受けて、各製造装置・器具のそれぞれに固有の情報（例えば連番でよい）を、装置・器具特定情報として発行して、当該装置・器具特定情報と対応する製造装置を表す情報（入力された装置・器具の名称等でよい）とを関連付けて記憶部１２に格納する。
【００２２】
また設定部２１は、当該一覧に列挙された各製造装置のそれぞれについて、再利用可能品（ＭＵＴ：Multi-use technology）とするか、一回利用品（ＳＵＴ：Single-use technology）とするか（つまり再利用可能品とするか否か）、または再利用可能品と一回利用品とのいずれでもよい旨（Ａｎｙ）を表す情報（Ｍ／Ｓ情報と呼ぶ）の入力を受けて、対応する製造装置を特定する装置・器具特定情報に、Ｍ／Ｓ情報を関連付けて記録する（図３）。
【００２３】
設定部２１は、これらの製造設備に関する情報のパラメータのほか、経済性、環境影響、品質、供給安定性等の評価指標を演算するために用いるパラメータの入力を受けて、記憶部１２に格納してもよい。このパラメータとしては、製造装置のすべてが再利用品である場合の作業人員の数（ｎ_MUT_Operator）や、製造装置のすべてが一回利用品である場合の作業人員の数（ｎ_SUT_Operator）、さらに、再利用品と一回利用品とが混在する場合の作業人員の数（ｎ_HYB_Operator）等の製造条件に関する情報を含む。
【００２４】
またこのパラメータには、リスクの指標を演算するため、想定されるリスクごとの発生確率や、リスクごとの、当該リスクが発生しないと保証できる、製造設備の稼働からの平均的な期間の長さ、製造設備の稼働から当該リスクが発生する平均的な時間（ＭＴＢＦ；Mean Time Before Failureに相当）等を含んでもよい。
【００２５】
さらにこの評価指標を演算するために用いるパラメータには、製造装置である器具のスケールファクタ（配管長や管径等）、コストに関するパラメータ（各器具の金額や、定期的なクリーニングの費用、作業員に支払う費用、廃棄コスト、税率、利率等）、環境影響に係るパラメータ（器具が製品製造中に排出する単位時間あたりの二酸化炭素の量、一回使用品の器具の廃棄の際に発生する二酸化炭素の量など）、その他の情報を含む。これらの情報に関しては例えば、Haruku Shirahata, et.al., “Multiobjective decision support tools for the choice between single-use and multi-use technologies in sterile filling of biopharmaceuticals”, Computers and Chemical Engineering(2018, DOI: https//doi.org/10.1016/j.compchemeng.2018.06.001)や、Haruku Shirahata, et.al., “Decision Support Method for the Choice Between Single-Use and Multi-Use Technologies in Sterile Drug Product Manufacturing”, Journal of Pharmaceutical Innovation (2017) 12, 1-13 (DOI: 10.1007/s12247-016-9264-7)等に、無菌充填技術に関して考慮するべきパラメータの一例の開示がある。
【００２６】
サンプル生成部２２は、記憶部１２に格納されたパラメータのそれぞれについて定められた値の幅に含まれる仮想値（設定された最小値と最大値の間の値）を設定して、仮想値のセット（サンプル）を生成する。サンプル生成部２２は、ここで、各製造装置のそれぞれについて、再利用可能品とするか、一回利用品とするかの、設定された範囲での可能な組み合わせがすべて含まれるように、複数のサンプルを生成することとする。
【００２７】
すなわち、本実施の形態においてこのサンプル生成部２２は、各製造装置のそれぞれについて、再利用可能品とするか、一回利用品とするかの、設定された範囲でのすべての可能な組み合わせを列挙する。例えば製造装置である器具Ａ，Ｂ，Ｃが含まれる製品製造における評価を行う場合において、Ａについては再利用可能品（ＭＵＴ）を用いることとし、Ｂ，Ｃについては再利用可能品（ＭＵＴ）であるか一回利用品（ＳＵＴ）であるかとのいずれでもよいことと設定されている場合、サンプル生成部２２は、すべての可能な組み合わせである、
ｉ）Ａ：ＭＵＴ，Ｂ：ＭＵＴ，Ｃ：ＭＵＴ
ｉｉ）Ａ：ＭＵＴ，Ｂ：ＭＵＴ，Ｃ：ＳＵＴ
ｉｉｉ）Ａ：ＭＵＴ，Ｂ：ＳＵＴ，Ｃ：ＭＵＴ
ｉｖ）Ａ：ＭＵＴ，Ｂ：ＳＵＴ，Ｃ：ＳＵＴ
の４通りのサンプル候補を列挙する。
【００２８】
さらにサンプル生成部２２は、ここで列挙したサンプル候補のそれぞれについて、各パラメータについての仮想値のセットであるサンプルを複数生成する（複数回のサンプリングを行う）。このとき、サンプル生成部２２は、パラメータの値の幅が再利用可能品であるか、一回利用品であるかによって異なる場合は、サンプルを生成するサンプル候補の設定に対応して仮想値を選択する。
【００２９】
例えば、器具Ｃに関わるあるパラメータＸが、器具Ｃが再利用可能品である場合、Ｘ_MUT_MinからＸ_MUT_Maxの値の範囲であるのに対し、器具Ｃが一回利用品である場合、Ｘ_SUT_MinからＸ_SUT_Maxの値の範囲であるとするとき、サンプル生成部２２は、サンプル候補ｉ，ｉｉｉについては、器具Ｃに関わるパラメータＸの仮想値を選択するときには、Ｘ_MUT_MinからＸ_MUT_Maxの値の範囲から仮想値を選択し、サンプル候補ｉｉ，ｉｖについて器具Ｃに関わるパラメータＸの仮想値を選択するときには、Ｘ_SUT_MinからＸ_SUT_Maxの値の範囲から仮想値を選択する。
【００３０】
このサンプル生成部２２が複数のサンプルを生成する際に、それぞれのサンプルにおける仮想値を選択する具体的な方法としては、例えばラテン超方格法などの広く知られた方法を採用できるので、ここでの詳しい説明は省略する。
【００３１】
なお、サンプル生成部２２は、パラメータに標準的な値が設定されているときには、当該標準的な値を中心に分布するよう、正規分布または対数正規分布等、予め定められた確率分布を仮定して仮想値を選択してもよい。このような所定の分布からラテン超方格法などの方法でサンプリングを行う方法も広く知られているので、ここでの詳しい説明を省略する。
【００３２】
評価部２３は、生成されたサンプルごとに、サンプルに含まれるパラメータごとの仮想値を用い、予め定めた評価演算方法によってサンプルに対応する経済性、環境影響、品質、供給安定性の少なくとも一つの評価指標についての評価を推定し、各サンプルに対応して推定された評価を表す評価値のセットであるサンプル評価値を取得する。
【００３３】
具体的に、この評価部２３が用いる各評価指標についての評価を演算する評価演算方法は、一般に複数のパラメータを用いており、次のようなものとなる。具体的に薬品製造における投資コストNPVE_CAPEXは、
【数１】
2020035315.tif 000003
などとして演算される。
【００３４】
ここで、Ｃ0は初期投資費用、Ｓは回収率（salvage rate）、ｉは利率、Ｒtaxは税率（製造期間に亘って変化しない税率）、ｎtaxは、製造期間の第ｎ期における税率、ｎは製造期間の期を表す（この例では第ｎ期までのNPVE_CAPEXを求めることを表す）。これらの値は設定部２１により設定される（つまり、設定部２１に入力されるべき、あるいは設定部２１が入力画面を提示するのであれば、そこで設定部２１が入力を求めるべき値は、これらすべての評価値の演算に必要なすべてのパラメータの幅を表す情報である）。
【００３５】
評価部２３は、サンプル生成部２２が生成した複数のサンプルを順次、注目サンプルとして選択して、選択した注目サンプルに含まれる各パラメータの仮想値を用いて、各評価指標に係る評価値を、それぞれについて予め定められた評価演算方法（数式で定められる）に基づいて演算して、評価値のセットを、注目サンプルのサンプル評価値として求め、注目サンプルを特定する情報に関連付けて記憶部１２に格納する。
【００３６】
なお、評価演算方法は、評価演算に関係する製造装置が再利用可能品であるか一回利用品であるか、あるいはその組み合わせであるかにより異なる評価演算方法を採用すべき場合がある。例えば、一回の製造ごとの器具の廃棄に因る二酸化炭素の排出量は、再利用可能品であれば「０」（再利用するため一回ごとに廃棄しない）であるが、一回利用品であれば、設定された幅の範囲の値となる。この場合、評価部２３は、評価演算に関係する製造装置が再利用可能品であるか一回利用品であるか、あるいはその組み合わせであるかにより異なる評価値については、予め、互いに異なる評価演算方法（演算のための数式）の設定を受けて、各評価演算方法に係る情報（数式の情報）を記憶しておき、当該評価値の評価にあたっては、当該評価値の評価演算に関係する製造装置が再利用可能品であるか一回利用品であるか、あるいはその組み合わせであるかにより対応する評価演算方法を読み出して、当該読み出した評価演算方法により評価値を求める。
【００３７】
また平均的なリスク発生がないことを保証できる平均的な期間も、関係する製造装置が再利用可能品であるか一回利用品であるかにより異なる。この場合、評価部２３は、当該評価演算に関係する製造装置が再利用可能品である場合の評価値ＶMUTと、一回利用品である場合の評価値ＶSUTとを求め、評価演算に関係する製造装置が再利用可能品であれば、評価値ＶMUTを出力し、一回利用品であれば評価値ＶSUTを出力し、それらの組み合わせであれば評価値ＶMUTとＶSUTとのうちいずれかの値を選択的に出力する（リスク発生の期間がより短いものを採用するか、より長いものを選択するかは予め定めておいてもよいし、評価演算に関係する製造装置の全体のうち再利用可能品と一回利用品との数の多い方に合わせて選択するなど、サンプルに応じて選択を異ならせてもよい）こととしてもよい。
【００３８】
推定処理部２４は、サンプルごとのサンプル評価値の入力を受けて、入力因子としてのサンプル（複数のパラメータの仮想値）に対するモデル出力であるサンプル評価値（評価指標ごとの評価値）の各々について、サンプルに含まれる各パラメータの寄与度を推定する。具体的に、この寄与度は、パラメータとサンプル評価値との相関などの統計指標（例えばピアソン相関係数等）としてもよい。
【００３９】
出力処理部２５は、評価部２３により評価された、各サンプルに対応するサンプル評価値に関する情報や推定処理部２４による推定の結果である寄与度に係る情報を、表示部１４に表示出力する等して、ユーザに提示する。
【００４０】
一例として、この出力処理部２５は、推定処理部２４が求めた統計指標ごとに、パラメータの寄与度を、寄与度の大きい順（例えば相関係数の絶対値が大きい順）に配列して表示する（図４）。
【００４１】
［動作］
本実施の形態は、以上の構成を備えており、次のように動作する。本実施の形態の情報提供装置１は、管理者、あるいはユーザから予め、対象となる製品の生産規模、生産期間、生産量に関する情報、並びに、製造設備に関する情報を含む複数のパラメータごとに、値の幅に関する設定を受け入れておく。
【００４２】
本実施の形態では、このパラメータには、他のパラメータの選択に関係するパラメータが含まれる。具体的には、製造設備に関する情報として、製造工程で用いる製造装置が再利用可能な装置であるか否の設定（あるいは再利用可能な装置と一回利用の装置とのいずれでもよい旨の設定）が含まれる。この製造設備に関する情報は、他のパラメータの選択に影響する。例えば故障率のパラメータの幅は、対応する製造装置が再利用可能な装置と一回利用の装置とのいずれであるかによって異なる。このため、本実施の形態の情報提供装置１は、再利用可能な装置と一回利用の装置とのそれぞれについての故障率のパラメータの幅の入力を受けて記憶しておく。
【００４３】
情報提供装置１は、ユーザからの指示を受けて、図５に例示する情報提供の処理を開始し、記憶しているパラメータを参照して、製品製造に用いる製造装置のそれぞれについて、再利用可能品とするか、一回利用品とするかの、設定された範囲での可能な組み合わせを列挙する（Ｓ１１）。そして情報提供装置１は、列挙したサンプル候補のそれぞれについて、各パラメータについての仮想値のセットであるサンプルを複数生成する。既に述べたように、このときに情報提供装置１は、値の幅が再利用可能品であるか、一回利用品であるかによって異なるパラメータについては、対応するサンプル候補の設定に対応して仮想値を選択する（Ｓ１２；サンプリング）。ここで仮想値を選択する方法は、ラテン超方格法を用いることとする。
【００４４】
情報提供装置１は、サンプリングの処理において生成されたサンプルごとにループして、当該サンプルに含まれるパラメータごとの仮想値を用い、予め定めた評価演算方法によってサンプルに対応する経済性、環境影響、品質、供給安定性の少なくとも一つの評価指標についての評価を推定し、各サンプルに対応して推定された評価を表す評価値のセットであるサンプル評価値を得る（Ｓ１３；評価演算）という処理を繰り返し実行する。
【００４５】
情報提供装置１は、そして処理Ｓ１２で得られたサンプルごとのサンプル評価値を得て、入力因子としてのサンプル（複数のパラメータの仮想値）に対するモデル出力であるサンプル評価値（評価指標ごとの評価値）の各々について、サンプルに含まれる各パラメータの寄与度を推定する（Ｓ１４）。ここでは寄与度は、パラメータとサンプル評価値とのピアソン相関係数とする。すなわちこの寄与度は、与えられたパラメータに基づいて列挙される、あり得る条件に相当するパラメータの仮想値を、モンテカルロ法を用いてサンプリングし、当該サンプリングした情報に基づいてグローバル感度解析を行った結果に相当する。
【００４６】
そして情報提供装置１は、処理Ｓ１４で求められた、評価指標ごとのパラメータの寄与度を、寄与度の大きい順（例えば相関係数の絶対値が大きい順）に配列して表示する（Ｓ１５）。
【００４７】
これによりユーザは、注目する評価指標について、どのパラメータを重視するべきかを知ることができる。例えば故障率に注目した場合に、特定の製造装置（器具）が再利用可能な装置であるか、一回利用の装置であるかのパラメータが寄与するのであれば、当該パラメータを重視して、製造設備の設計の検討を行うことが可能となる。
【００４８】
さらに本実施の形態の情報提供装置１は、ユーザが指定する評価指標に対する寄与度が上位所定順位までにあるパラメータ（あるいは寄与度が所定のしきい値を満足するパラメータ）を選択し、当該選択したパラメータを異ならせつつ複数の評価指標を演算し、当該演算の結果を提示することとしてもよい。なお、この演算のとき、変化させるパラメータ（寄与度が所定の順位以内、あるいは所定の閾値を超えるもの）以外のパラメータは、標準的な値、あるいは設定された幅の中間値に設定して固定しておいてもよい。
【００４９】
例えば情報提供装置１は、上位５位までの寄与度のパラメータを変化させた複数の例について、各評価指標の評価値を演算して、その結果を提示してもよい。この例によると、ユーザはある評価指標について重視すべきパラメータを変更したときの、各評価指標への影響を知ることができるようになる。具体的に故障率の評価指標について特定の製造装置（器具）が再利用可能な装置であるか否かが最も寄与するとされているとき、情報提供装置１は、この器具を再利用可能な装置とした場合と、一回利用の装置とした場合とを含む複数のケース（各ケースのパラメータは、サンプリングのときと同様に、設定された値の幅から決定する）について各評価指標の評価値を求める。
【００５０】
これにより例えば故障率以外にコストの評価指標の評価値が演算されている場合、故障率を変化させたときのコストの変化といった相関をユーザが知ることができるようになる。
【００５１】
また本実施の形態のここまでの説明では、情報提供装置１は、操作部や表示部を備えて、情報の入出力を、これらを介して行うコンピュータシステムであるものとしたが、本実施の形態はこれに限られない。
【００５２】
例えば情報提供装置１は、サーバ装置として実現されてもよい。この場合、情報提供装置１は、ネットワークを介して接続されたユーザ側の端末装置から設定値の入力や、寄与度の推定処理の指示を受け入れ、演算や推定の結果を、ネットワークを介してユーザ側の端末装置に送出して、当該端末装置にて表示出力させるようにしてもよい。
【符号の説明】
【００５３】
１  情報提供装置、１１  制御部、１２  記憶部、１３  操作部、１４  表示部、２１  設定部、２２  サンプル生成部、２３  評価部、２４  推定処理部、２５  出力処理部。
【図１】
2020035315.tif 000004
【図２】
2020035315.tif 000005
【図３】
2020035315.tif 000006
【図４】
2020035315.tif 000007
【図５】
2020035315.tif 000008